(57)【特許請求の範囲】
【請求項１】
対話形記録媒体に収録されたＡ／Ｖデータを再生する方法において、
コンテンツ提供サーバーから前記Ａ／Ｖデータと連関性を持つ複数のデータファイルで構成されている付加コンテンツデータの再生時間情報、前記Ａ／Ｖデータの任意区間と同期再生される付加コンテンツデータファイルのアクセス情報、及び次回に受信される付加コンテンツデータファイルの大きさ情報を含む再生制御情報を受信して保存する第１ステップと、
前記保存された再生制御情報を参照して、前記コンテンツ提供サーバーから前記付加コンテンツデータを受信しながら、前記対話形記録媒体のＡ／Ｖデータと前記受信される付加コンテンツデータを同期して再生する第２ステップをと含み、
前記２ステップは、前記再生制御情報に含まれた前記付加コンテンツデータの再生時間情報及び次回に受信される付加コンテンツファイルの大きさ情報と前記受信された付加コンテンツデータファイルが保存される保存手段の余裕容量を参照して、現在再生しているＡ／Ｖデータ以後に再生するＡ／Ｖデータと係わる付加コンテンツデータの伝送時点を前記コンテンツ提供サーバーに変更要求するステップをさらに含むことを特徴とする対話形記録媒体再生方法。
【請求項２】
請求項１において、
前記再生制御情報は、前記コンテンツ提供サーバーから一度にすべて提供したり、必要時点毎に分けられた情報が提供されることを特徴とする対話形記録媒体再生方法。
【請求項３】
請求項１において、
前記付加コンテンツデータファイルのアクセス情報は、そのファイルの名前または保存された位置のアドレスであることを特徴とする対話形記録媒体再生方法。
【請求項４】
請求項１において、
前記伝送時点の変更要求は、伝送時点を遅延要求することであることを特徴とする対話形記録媒体再生方法。
【請求項５】
対話形記録媒体に収録されたＡ／Ｖデータと連関性を持つ複数のデータファイルから構成されている付加コンテンツデータ、並びに前記付加コンテンツデータの再生時間情報、前記Ａ／Ｖデータの任意区間と同期再生される付加コンテンツデータファイルのアクセス情報及び次回に受信される付加コンテンツファイルの大きさ情報を含む再生制御情報をコンテンツ提供サーバーから受信する通信インターフェース部と、
前記受信される付加コンテンツデータファイルを一時保存するバッファーメモリーと、
前記Ａ／Ｖデータと付加コンテンツデータを再生する再生部と、
前記保存された再生制御情報を参照して、前記コンテンツ提供サーバーから前記付加コンテンツデータが受信されて保存されるように前記通信インターフェースとバッファーメモリーを制御して、前記対話形記録媒体のＡ／Ｖデータと前記バッファーメモリーの付加コンテンツデータを同期して再生するように前記再生部を制御する制御部とを含み、
前記制御部は、前記再生制御情報に含まれた各ファイルの再生時間情報及び次回に受信される付加コンテンツファイルの大きさ情報と、前記バッファーメモリーの余裕容量を参照して、現在再生しているＡ／Ｖデータ以後に再生するＡ／Ｖデータと関わる付加コンテンツデータの伝送時点を、前記通信インターフェース部を通じて前記コンテンツ提供サーバーに変更要求することを特徴とする対話形記録媒体再生装置。
【請求項６】
請求項５において、
前記通信インターフェース部は、前記コンテンツ提供サーバーから、前記再生制御情報を、一度に皆受信し、または必要時点ごとに分けて受信することを特徴とする対話形記録媒体再生装置。
【請求項７】
請求項５において、
前記付加コンテンツデータファイルのアクセス情報は、そのファイルの名前または保存された位置の住所であることを特徴とする対話形記録媒体再生装置。
【請求項８】
請求項５において、
前記制御部は、前記再生制御情報に含まれた各ファイルの再生時間情報と前記バッファーメモリーの余裕容量を参照して、次の付加コンテンツデータファイルの伝送を遅延させることを前記通信インターフェース部を通じて前記コンテンツ提供サーバーに要請することを特徴とする対話形記録媒体再生装置。
【発明の詳細な説明】
【技術分野】
【０００１】
本発明は、対話形ＤＶＤ（Ｉ−ＤＶＤ：Ｉｎｔｅｒａｃｔｉｖｅ  Ｄｉｇｉｔａｌ  Ｖｅｒｓａｔｉｌｅ  Ｄｉｓｃ）のような光ディスクに記録されたＡ／Ｖデータとコンテンツデータ、そしてインターネットを介してコンテンツ提供サーバーから提供するコンテンツデータの連動再生のための再生方法に関する。
【背景技術】
【０００２】
一般的に、大容量のデジタルデータを記録保存することができる高密度光ディスク、例えばＤＶＤが広く普及されているが、前記ＤＶＤは、デジタルオーディオデータはもちろん高画質の動映像データを長時間の間記録保存することができる大容量記録媒体として商用化されている。
【０００３】
一方、前記ＤＶＤには、前記動映像データの再生制御のために必要なナビゲーション（Ｎａｖｉｇａｔｉｏｎ）データが記録保存されるナビゲーションデータ記録領域と、前記動映像データのようなデジタルデータストリームが記録保存されるデータストリーム記録領域が含んで構成される。
【０００４】
したがって、一般的なＤＶＤ再生装置では、前記ＤＶＤが装置内に挿入安着される場合、前記ナビゲーションデータ記録領域に記録されたナビゲーションデータを読み出して、装置内のメモリーに保存した後、そのナビゲーションデータを利用して、前記データストリーム記録領域に記録された動映像データを読み出して再生するＤＶＤ再生動作を遂行するようになる。
【０００５】
これにより、前記ＤＶＤ再生装置を具備したユーザーは、前記ＤＶＤに記録された高画質の動映像データを長時間の間再生視聴するようになることはもちろん、前記ＤＶＤで提供される多様な機能を選択利用することができることになる。
【０００６】
一方、最近には前記ＤＶＤから読み出して再生されるＡ／Ｖデータと関連した詳細情報を‘ｈｔｍｌファイル’等のような多様なコンテンツデータとして、ＤＶＤ上に付加記録して、ユーザーとのインターフェースを介して読み出して再生する対話形ＤＶＤ（Ｉ−ＤＶＤ）に対する具体化方案が関連企業間で論議されているが、このような対話形ＤＶＤが商用化される場合、前記Ａ／Ｖデータと関連された多様なコンテンツデータをユーザーが容易く検索することができるようになることと期待されている。
【０００７】
また、前記対話形ＤＶＤ（Ｉ−ＤＶＤ）に記録されたＡ／Ｖデータとコンテンツデータを再生しながら、また他の多様なコンテンツデータを、インターネットを介して連結接続されたコンテンツ提供サーバーから提供受けて、再生出力することができるようにするための方案が論議されているが、前記Ａ／Ｖデータとコンテンツデータを、ユーザーの要求によってさらに效率的に再生制御するための方案がまだ用意されていなくて、その解決方案用意が急に要求されている実情である。
【発明の開示】
【０００８】
したがって、本発明は前記のような実情を勘案して創作されたものであって、対話形ＤＶＤのような光ディスクのＡ／Ｖデータとコンテンツデータ、そしてコンテンツ提供サーバーから提供するコンテンツデータを連係再生する対話形光ディスク装置で、コンテンツ提供サーバーから提供するコンテンツデータに対するナビゲーション情報を受信及び参照して、光ディスクから読み出すＡ／Ｖデータとコンテンツ提供サーバーから提供するコンテンツデータを效率的に連係再生させることができるようにするための再生方法を提供することに、その目的があるものである。
【０００９】
前記のような目的を達成するための本発明による対話形記録媒体に収録されたＡ／Ｖデータを再生する方法は、コンテンツ提供サーバーから前記Ａ／Ｖデータと連関性を持つ複数のデータファイルで構成されている付加コンテンツデータの再生時間情報、前記Ａ／Ｖデータの任意区間と同期再生される付加コンテンツデータファイルのアクセス情報、及び次回に受信される付加コンテンツデータファイルの大きさ情報を含む再生制御情報を受信して保存する第１ステップと、前記保存された再生制御情報を参照して、前記コンテンツ提供サーバーから前記付加コンテンツデータを受信しながら、前記対話形記録媒体のＡ／Ｖデータと前記受信される付加コンテンツデータを同期して再生する第２ステップをと含み、前記２ステップは、前記再生制御情報に含まれた前記付加コンテンツデータの再生時間情報及び次回に受信される付加コンテンツファイルの大きさ情報と前記受信された付加コンテンツデータファイルが保存される保存手段の余裕容量を参照して、現在再生しているＡ／Ｖデータ以後に再生するＡ／Ｖデータと係わる付加コンテンツデータの伝送時点を前記コンテンツ提供サーバーに変更要求するステップをさらに含むことを特徴とする。
【発明を実施するための最良の形態】
【００１０】
以下、本発明による対話形記録媒体の収録データ及びこれの付加データの連動再生方法に対する望ましい実施形態に対して、添付した図面を参照しながら詳細に説明する。
【００１１】
図１は、本発明による再生制御方法が適用される対話形光ディスク装置に対する構成を示したものであって、前記対話形光ディスク装置、例えば対話形ＤＶＤプレーヤー１００には、光ピックアップ１１、ＩＤＶＤシステム１２、マイコン１３、バッファーメモリー１４、そしてインターネットインターフェース１５が含まれて構成されることができ、前記インターネットインターフェース１５を介してコンテンツ提供サーバー３００と連結接続されることができる。
【００１２】
また、前記ＩＤＶＤシステム１２では、対話形ＤＶＤ  １０から読み出すＡ／Ｖデータを再生出力するためのＤＶＤエンジン（Ｅｎｇｉｎｅ）と、前記コンテンツ提供サーバー３００から提供するコンテンツデータ、または対話形ＤＶＤから読み出すコンテンツデータを再生出力するためのＥＮＡＶエンジン（Ｅｎｈａｎｃｅｄ  Ｎａｖｉｇａｔｉｏｎ  Ｅｎｇｉｎｅ）が含んで構成されることができる。
【００１３】
一方、前記ＩＤＶＤシステム１２では、前記対話形ＤＶＤ  １０から読み出すＡ／Ｖデータとコンテンツデータを同期化させて再生出力するようになって、前記インターネットインターフェース１５では、図１に示したように、前記マイコン１３と、前記ＩＤＶＤシステム１２内に内蔵されたＥＮＡＶエンジンの相互作用により、インターネット２００を介してコンテンツ提供サーバー３００と連結接続される。
【００１４】
そして、前記バッファーメモリー１４では、前記コンテンツ提供サーバー３００から提供する多様なコンテンツデータ、例えば、対話形ＤＶＤ  １０から読み出すビデオデータと関連されたデータファイル等のような多様な付加コンテンツデータであるＥＮＡＶコンテンツデータをダウンロードして臨時保存するようになって、前記バッファーメモリー１４は、論理的に第１バッファー（Ｂｕｆｆｅｒ１）と第２バッファー（Ｂｕｆｆｅｒ２）に区分されることができる。
【００１５】
また、前記ＩＤＶＤシステム１２内のＥＮＡＶエンジンでは、前記対話形ＤＶＤ  １０から読み出すＡ／ＶビデオデータとＥＮＡＶコンテンツデータを同期化させて、再生出力したり、または前記Ａ／Ｖデータとコンテンツ提供サーバー３００から提供するまた他のＥＮＡＶコンテンツデータを同期化させて再生出力するようになる。
【００１６】
一方、前記コンテンツ提供サーバー３００では、前記対話形ＤＶＤ  １０に記録保存されたＡ／Ｖデータと連関性を有する多様なＥＮＡＶコンテンツデータを、複数のデータファイルに伝送提供すると共に、前記データファイルの内容を、Ａ／Ｖデータと同期させて表現することができるようにするためのＥＮＡＶナビゲーション情報を提供するようになる。この情報は一度に提供したりまたは分けられて必要時点毎に提供することができる。
【００１７】
例えば、図２に示したように、前記対話形ＤＶＤ  １０に一つのタイトル（Ｔｉｔｌｅ  ＃１）として記録管理される複数のチャプター（Ｃｈａｐｔｅｒ  ＃１、＃２．．．）に対応する少なくとも一つ以上のデータファイル（Ｆｉｌｅ  ＃１、＃２．．．）を、ＥＮＡＶユニット（ＥＮＡＶ＿Ｕｎｉｔ）で区分管理すると共に、そのＥＮＡＶユニットに含まれるデータファイルを再生制御するためのナビゲーション情報をＥＮＡＶユニット情報（ＥＮＡＶ＿Ｕｎｉｔ＿Ｉｎｆｏ）として提供するようになる。
【００１８】
そして、複数のＥＮＡＶユニット情報（ＥＮＡＶ＿Ｕｎｉｔ  ＃１＿Ｉｎｆｏ、ＥＮＡＶ＿Ｕｎｉｔ  ＃２＿Ｉｎｆｏ．．）を‘リンクリスト（ＬｉｎｋＬｉｓｔ）’で定義して、前記ＥＮＡＶコンテンツデータのファイルと共に伝送したり、またはそのＥＮＡＶコンテンツデータのファイルを伝送する以前にあらかじめ伝送するようになる。
【００１９】
一方、前記ＥＮＡＶユニット情報には、図３に示したように、該当ＥＮＡＶユニットに含まれる少なくとも一つ以上のデータファイルに対するファイル名（Ｆｉｌｅ（ｓ）Ｎａｍｅ）と、コンテンツ提供サーバー内でのファイル記録アドレス（Ｆｉｌｅ（ｓ）Ａｄｄｒｅｓｓ）、そして該当ＥＮＡＶユニットのプレゼンテーション時間（ＥＮＡＶ＿Ｕｎｉｔ＿Ｐｒｅｓｅｎｔａｔｉｏｎ＿Ｔｉｍｅ）と、次回に伝送されるＥＮＡＶユニットの総データファイルサイズ（Ｎｅｘｔ＿ＥＮＡＶ＿Ｕｎｉｔ＿Ｔｏｔａｌ  Ｆｉｌｅ（ｓ）Ｓｉｚｅ）に対する情報が含まれることができる。
【００２０】
これにより、前記対話形ＤＶＤプレーヤーのマイコン１３では、前記のようにコンテンツ提供サーバーから提供するリンクリストのＥＮＡＶユニット情報を参照して、前記ＩＤＶＤシステム１２に含んで構成されたＤＶＤエンジンとＥＮＡＶエンジンを、相互連関性を有して動作制御するようになる。
【００２１】
例えば、前記マイコン１３では、ＥＮＡＶユニット情報に含まれた‘Ｆｉｌｅ（ｓ）Ｎａｍｅ’と‘Ｆｉｌｅ（ｓ）Ａｄｄｒｅｓｓ’を参照して、前記ＤＶＤエンジンにより再生出力されるＡ／Ｖデータストリームのチャプターと、前記ＥＮＡＶエンジンにより再生出力されるデータファイルが相互連関性を有して再生出力されることができるように制御するようになる。
【００２２】
また、前記ＥＮＡＶユニット情報に含まれた‘ＥＮＡＶ＿Ｕｎｉｔ＿Ｐｒｅｓｅｎｔａｔｉｏｎ＿Ｔｉｍｅ’と‘Ｎｅｘｔ＿ＥＮＡＶ＿Ｕｎｉｔ＿ＴｏｔａｌＦｉｌｅ（ｓ）Ｓｉｚｅ’を参照して、現在再生出力されているＥＮＡＶユニットのプレゼンテーション時間を予測すると共に、次回に伝送受信されるデータファイルの記録サイズが、前記バッファー１４のデータ保存容量を超過するかを判別するようになるが、もしも現在再生出力されているＥＮＡＶユニットのプレゼンテーション時間が長時間必要となって現在前記バッファー１４の保存する余裕容量がない場合、次回のＥＮＡＶユニットのデータファイルを所定時間、例えば、現在保存されたＥＮＡＶユニットのプレゼンテーション予想時間の１／２の間遅延させて伝送することを要求するコマンドを、前記コンテンツ提供サーバーに伝送要求するようになる。
【００２３】
そして、余裕容量があっても、次回に伝送受信されるデータファイルの記録サイズが、前記バッファー１４で収容可能なデータ保存容量を超過する場合、次回のＥＮＡＶユニットのデータファイルを分けて多段階に区分して順次伝送したり、またはデータファイルを圧縮することによって所定記録サイズ以下に縮小させて伝送することを要求するコマンドを、前記コンテンツ提供サーバー３００に伝送要求するようになる。
【００２４】
後者の圧縮伝送の場合には、圧縮された付加コンテンツデータファイルのサイズに対する情報を受信した後伝送要求する過程がさらに必要であり、圧縮要求時に収容可能な圧縮率を提示することができる。
【００２５】
例えば、次回のＥＮＡＶユニットデータファイルのサイズを３０％以上圧縮してこそバッファーに収容することができる場合、圧縮要求時に３０％の希望圧縮率を伝達して、前記コンテンツ提供サーバー３００は３０％以上の圧縮が可能な場合にだけ圧縮して前記プレーヤー１００に提供することができる。もしも、希望する圧縮率で圧縮できない場合には、前の方法のように分けて順次的に提供するようになる。
【００２６】
したがって、前記対話形ＤＶＤプレーヤー１００では、対話形ＤＶＤ  １０から読み出すＡ／Ｖデータと、コンテンツ提供サーバーから伝送受信されるＥＮＡＶコンテンツデータを、正常的に連係再生することができるようになる。
【００２７】
参考に、一つのＥＮＡＶユニットは、複数のチャプターに対応することができ、また一つのチャプターは複数のＥＮＡＶユニットに対応することができる。そして前記リンクリストには、前記ＥＮＡＶユニット情報以外のまた他のナビゲーション情報が含まれることができ、またＥＮＡＶプレーリスト（ＥＮＡＶ＿ＰｌａｙＬｉｓｔ）等のような多様な名称で定義されることができる。
【００２８】
前記のように構成される本発明による対話形記録媒体の収録データ及びこれの付加データの連動再生方法は、対話形光ディスク装置で、相異なる類型のソースデータに対する再生動作をさらに正確に連係制御することができるようにする。
【００２９】
以上、前述した本発明の望ましい実施形態は、例示の目的のために開示されたものであって、当業者ならば添付された特許請求範囲に開示された本発明の技術的思想とその技術的範囲内で、多様な他の実施形態を改良、変更、代替または付加などが可能であることである。
【図面の簡単な説明】
【００３０】
【図１】本発明による再生制御方法が適用される対話形光ディスク装置に対する構成を示した図ある。
【図２】本発明によるＡ／Ｖデータストリームと、コンテンツナビゲーション情報、そしてコンテンツデータファイルを概念的に連係して示した図である。
【図３】本発明によるコンテンツナビゲーション情報に対する実施形態を示した図である。
【図１】
0004575780.tif 000002
【図２】
0004575780.tif 000003
【図３】
0004575780.tif 000004